(57)【要約】【課題】フレームに切欠部や取付部品を追加することなく、収納ケースの前後方向の位置決めが容易にでき、容積の大きな収納ケースでも変形することのない冷蔵庫を提供する。【解決手段】前面に開口を有する断熱箱体と、断熱箱体内を区画して形成された貯蔵室と、貯蔵室の開口を閉塞する背面に貯蔵室の奥側に延びて設けられた一対の側方フレーム１２及び一対の側方フレーム１２の一端部の双方を連結する後方フレーム１４を有する引出式扉１０と、引出式扉１０の前後の移動に伴って、一対の側方フレーム１２及び後方フレーム１４と共に移動し、上面に開口を有する収納ケース１３とを備え、収納ケース１３は、奥壁１３２の上端部から外方に突出して下方に延びて形成された後方フランジ部１３２ａを備え、後方フランジ部１３２ａの内側に後方フレーム１４が配置されている。【選択図】図１
2015140985.tif 000002
【特許請求の範囲】
【請求項１】
前面に開口を有する断熱箱体と、
前記断熱箱体内を区画して形成された貯蔵室と、
前記貯蔵室の開口を閉塞する背面に当該貯蔵室の奥側に延びて設けられた一対の側方フレーム及び前記一対の側方フレームの一端部の双方を連結する後方フレームを有する引出式扉と、
前記引出式扉の前後の移動に伴って、前記一対の側方フレーム及び前記後方フレームと共に移動し、上面に開口を有する収納ケースとを備え、
前記収納ケースは、奥壁の上端部から外方に突出して下方に延びて形成された後方フランジ部を備え、当該後方フランジ部の内側に前記後方フレームが配置されることを特徴とする冷蔵庫。
【請求項２】
前記後方フランジ部は、前記後方フレーム上に当接されていることを特徴とする請求項１記載の冷蔵庫。
【請求項３】
前記収納ケースは、前記引出式扉を正面から見て、当該収納ケースの左右方向の側壁の上端部から外方に突出して下方に延び、それぞれ前記一対の側方フレーム上に載置されるように形成された側方フランジ部と、前記側方フランジ部の内側に前記一対の側方フレーム上に載置される複数のリブとを備えていることを特徴とする請求項１又は２記載の冷蔵庫。
【請求項４】
前記一対の側方フレームは、前記引出式扉を正面から見て、前記収納ケースの左右方向の底面の角部を支持するように形成されていることを特徴とする請求項１記載の冷蔵庫。
【発明の詳細な説明】
【技術分野】
【０００１】
本発明は、貯蔵室に引出式扉が設けられた冷蔵庫に関するものである。
【背景技術】
【０００２】
冷蔵庫の引出式扉は、扉体と、この扉体の内板に固定され貯蔵室の奥側に突出された一対のフレームと、一対のフレーム間の撓みを抑える後方フレームと、一対のフレームに保持され扉体を前後させることで貯蔵室内に出し入れされる収納ケースとを備えている。この従来の引出式扉は、収納ケースのフランジ部を一対のフレームへ載置し、収納ケースの底面を支持し得るように、扉体の内板から貯蔵室内の方向に突出された凸部と、収納ケースの底面に設けられた凸部との係合面により構成される係合手段によって保持されるようになっている。また、収納ケースのフランジ部に設けた凸片と一対のフレームに設けた切欠部等によって形成される係止手段によって移動が規制されることで、収納ケースの撓み抑制、及び位置決めを行っている（例えば、特許文献１参照）。
【先行技術文献】
【特許文献】
【０００３】
【特許文献１】特開２０１０−２８１５４２号公報
【発明の概要】
【発明が解決しようとする課題】
【０００４】
従来の冷蔵庫の引出式扉では、収納ケースの前後方向の動きを規制する際、内板に取付部品を設けているため、部品点数が多く、収納ケースの着脱が容易でなかった。また、フレームに切欠部を設け、収納ケースに設けた凸片を差込むことで収納ケースを取付するものもあるが、収納ケースの一部を切欠部で係合させた場合は、フレームの強度が落ち、容積の大きな収納ケースのときにはフレームが変形する可能性があった。また、この場合、一対のフレームの左右のバランスが取れなくなり、収納ケースが浮いた場合にはフランジ部が掛らなくなり、収納ケースがガタつく原因となる恐れがある。
【０００５】
本発明は、前記のような課題を解決するためになされたもので、収納ケースの前後方向の位置決めが容易にでき、容積の大きな収納ケースでも変形することのない冷蔵庫を提供することを目的とする。
【課題を解決するための手段】
【０００６】
本発明に係る冷蔵庫は、前面に開口を有する断熱箱体と、断熱箱体内を区画して形成された貯蔵室と、貯蔵室の開口を閉塞する背面に貯蔵室の奥側に延びて設けられた一対の側方フレーム及び一対の側方フレームの一端部の双方を連結する後方フレームを有する引出式扉と、引出式扉の前後の移動に伴って、一対の側方フレーム及び後方フレームと共に移動し、上面に開口を有する収納ケースとを備え、収納ケースは、奥壁の上端部から外方に突出して下方に延びて形成された後方フランジ部を備え、後方フランジ部の内側に後方フレームが配置されている。
【発明の効果】
【０００７】
本発明によれば、収納ケースの奥壁の上端部から外方に突出して下方に延びて形成された後方フランジ部を備え、後方フランジ部の内側に後方フレームが配置されている。この構成により、従来のように側方フレームに切欠部を設けることなく、収納ケースの前後方向の位置決めを容易にできる。また、切欠部を有するフレームと比べ、強度が増しているので、容積の大きい収納ケースであっても、その荷重による側方フレームの変形がなく、収納ケースのガタ付が生じない。
【図面の簡単な説明】
【０００８】
【図１】実施の形態１に係る冷蔵庫の正面図。
【図２】図１に示す冷蔵庫のうち引出式扉側の側面図。
【図３】図１の野菜室の引出式扉の構成を示す斜視図。
【図４】図３の収納ケースを取り外した状態を示す引出式扉の要部斜視図。
【図５】図２の野菜室の引出式扉を矢視Ａ−Ａ方向から見て示す要部断面図。
【図６】図５に示すａ部の拡大側面図。
【図７】図１の野菜室の引出式扉を矢視Ｂ−Ｂ方向から見て示す要部断面図。
【図８】図７に示すｂ部の拡大側面図。
【図９】実施の形態２に係る冷蔵庫の引出式扉の構成を示す斜視図。
【図１０】図９の収納ケースを取り外した状態を示す引出式扉の要部斜視図。
【図１１】図２の切換室の引出式扉を矢視Ｃ−Ｃ方向から見て示す要部断面図。
【図１２】図１１に示すｃ部の拡大側面図。
【図１３】図１の切換室の引出式扉を矢視Ｄ−Ｄ方向から見て示す断面図。
【図１４】図１３に示すｄ部の拡大正面図。
【発明を実施するための形態】
【０００９】
実施の形態１．
図１は実施の形態１に係る冷蔵庫の正面図である。なお、図１の冷蔵庫は、実施の形態２にも適用するものとし、図中に示す矢視Ｄ−Ｄは、実施の形態２で説明する。
図１に示す冷蔵庫１は、断熱箱体２内に、例えば上段から、冷蔵室３と、断熱箱体２の左右方向に併設された製氷室４及び切換室５と、冷凍室６と、野菜室７とを貯蔵室として備えている。冷蔵室３には、観音開き式扉８が開閉自在に設けられており、製氷室４及び切換室５、冷凍室６、野菜室７には、引出式扉１０が前後に開閉自在に設けられている。
【００１０】
冷蔵室３は、収容物が凍らない程度の温度を維持する貯蔵室であり、製氷室４は、室内に製氷機が設けられ、その製氷機によって製造された氷を保存する貯蔵室である。切換室５は、用途に応じて温度帯を切り換えることができる貯蔵室であり、冷凍室６は、冷凍温度帯に設定される貯蔵室である。野菜室７は、主に野菜の貯蔵を目的とした貯蔵室である。なお、図１では、冷凍室６の下に野菜室７を設けているが、製氷室４及び切換室５の下に野菜室７とし、その野菜室７の下に冷凍室６としても良い。
【００１１】
断熱箱体２は、前面に開口を有する外箱と、仕切壁で貯蔵室が区画され、外箱の開口から外箱内に嵌め込まれた内箱と、外箱と内箱との空間に充填された発泡ウレタンなどの断熱材とで構成されている。
【００１２】
次に、実施の形態に係る冷蔵庫１の引出式扉１０の構成について説明する。
図２は図１に示す冷蔵庫のうち引出式扉側の側面図、図３は図１の野菜室の引出式扉の構成を示す斜視図、図４は図３の収納ケースを取り外した状態を示す引出式扉の要部斜視図、図５は図２の野菜室の引出式扉を矢視Ａ−Ａ方向から見て示す要部断面図、図６は図５に示すａ部の拡大正面図、図７は図１の野菜室の引出式扉を矢視Ｂ−Ｂ方向から見て示す要部断面図、図８は図７に示すｂ部の拡大側面図である。図２に示す矢視Ｃ−Ｃは、実施の形態２で説明する。
【００１３】
引出式扉１０は、図３及び図４に示すように、発泡ウレタンなどの断熱材が充填された直方体形状の箱体１１ａ、箱体１１ａの背面に設けられ、箱体１１ａに充填された断熱材を隠蔽する内板１１ｂなどで構成された扉体１１と、内板１１ｂの周縁部に取り付けられたガスケット１５と、内板１１ｂの左右方向の両端部にそれぞれ固定され、内板１１ｂから野菜室７の奥側に突出された一対の側方フレーム１２と、一対の側方フレーム１２の野菜室７の奥側の各一端部を連結する後方フレーム１４と、一対の側方フレーム１２の各一端部の外面に、ネジなどの固定具１２ｃにより回転自在に取り付けられた可動ローラ１６と、一対の側方フレーム１２及び後方フレーム１４に取り外し自在に設置された収納ケース１３とを備えている。前述のガスケット１５は、引出式扉１０が閉じられたときに、扉体１１と断熱箱体２との隙間を密閉する。
【００１４】
一対の側方フレーム１２は、図５及び図６に示すように、野菜室７の左右方向の内壁２ａ（内箱）に、開放側を向けたコの字形状の金属板で形成されている。側方フレーム１２の断面をコの字形状にすることで、収納ケース１３から受ける上下方向及び左右方向の力に対する剛性が高められている。この一対の側方フレーム１２は、図４に示すように、扉体１１側の他端部に設けられた固定板１２ａを介して扉体１１の内板１１ｂに固定されている。固定板１２ａの内板１１ｂへの固定は、ネジなどの固定具１２ｂによって行われている。野菜室７の左右方向の内壁２ａには、側方フレーム１２の可動ローラ１６を案内するレール１７が嵌め込まれている。
【００１５】
後方フレーム１４は、図７及び図８に示すように、断面が円形形状に形成された金属棒で、その両側が野菜室７の奧側に折り曲げられて、先端部に側方フレーム１２に固定される平板形状の固定板１４ａが形成されている。その固定板１４ａは、ネジなどの固定具１４ｂによって側方フレーム１２に固定されている。この後方フレーム１４は、一対の側方フレーム１２の撓みの防止、収納ケース１３の奥壁１３２を支えるために設けられている。
【００１６】
収納ケース１３は、図３に示すように、上面が開口された箱形状に形成され、引出式扉１０を正面から見て、収納ケース１３の左右方向の側壁１３１の上端部に側方フランジ部１３１ａ、及び奥壁１３２の上端部に後方フランジ部１３２ａが設けられている。更に、収納ケース１３の側壁１３１の上部外壁に、側壁１３１の奥行き方向に複数のリブ１８ａが設けられ（図５及び図６参照）、また、収納ケース１３の奥壁１３２の上部外壁に、奥壁１３２の左右方向に複数のリブ１８ｂが設けられている（図３参照）。
【００１７】
側壁１３１の側方フランジ部１３１ａは、図５及び図６に示すように、側壁１３１の上端部から外方へ直角に延びて下方に直角に延び、更に、再び外方へ直角に延びて側方フレーム１２の上面に載置される載置面１３１ｂを形成した後、再び下方へ直角に延びて形成されている。即ち、側方フランジ部１３１ａは、断面形状がＳ字状に形成されている。この側方フランジ部１３１ａの形状により、下方が開放された四辺形形状の溝部１３１ｃが形成されている。奥壁１３２の後方フランジ部１３２ａは、図７及び図８に示すように、奥壁１３２の上端部から外方へ直角に延びて下方へ直角に延びて形成されている。即ち、後方フランジ部１３２ａは、断面形状が奥壁１３２とで下方に開口を有するＣ字状に形成されている。
【００１８】
側壁１３１側のリブ１８ａは、図５及び図６に示すように、上部が側方フランジ部１３１ａによって形成された溝部１３１ｃの軸心方向の面を塞ぐように四辺形形状に形成され、その部分から下方へ収納ケース１３の側壁１３１に沿って延びている。つまり、そのリブ１８ａは、収納ケース１３の側壁１３１と側方フランジ部１３１ａとに一体に成形され、溝部１３１ｃ内のリブ１８ａの下端面１８１ａが側方フランジ部１３１ａの載置面１３１ｂと共に側方フレーム１２の上面に載置された状態となっている。
【００１９】
また、奥壁１３２側のリブ１８ｂは、図７及び図８に示すように、奥壁１３２の上部外壁において、後方フランジ部１３２ａの角から下方へ延びて形成されている。このリブ１８ｂは、収納ケース１３の奥壁１３２と後方フランジ部１３２ａとに一体に成形されている。
【００２０】
前述した収納ケース１３は、図４に示すように、内板１１ｂと、一対の側方フレーム１２と、後方フレーム１４とにより囲まれた空間内に、上方から挿入されて取り付けられる。この収納ケース１３が取り付けられた際、側壁１３１の上端部に設けられた側方フランジ部１３１ａがリブ１８ａと共に一対の側方フレーム１２に載置され、奥壁１３２の上端部に設けられた後方フランジ部１３２ａが後方フレーム１４に載置される。これにより、収納ケース１３の左右方向の位置ズレが抑えられ、収納ケース１３の前後方向の位置ズレが抑制される。
【００２１】
また、収納ケース１３は、側方フランジ部１３１ａ及び後方フランジ部１３２ａと、側壁１３１の上部外壁及び奥壁１３２の上部外壁にそれぞれ設けられたリブ１８ａ、１８ｂとにより、収納ケース１３の剛性が高められている。このため、収納ケース１３内に収納される野菜などの収容物の荷重による変形が抑えられる。
【００２２】
以上のように実施の形態１によれば、収納ケース１３の左右方向の位置ズレを一対の側方フレーム１２で抑えるだけでなく、後方フレーム１４により、従来のようにフレームに切欠部を設けることなく、また、固定具等の部品を追加することなく、収納ケース１３の前後方向の位置決めが容易で、しかも位置ズレを抑えることができる。
【００２３】
また、収納ケース１３の後方フランジ部１３２ａと後方フレーム１４とによって、収納ケース１３の前後方向の位置ズレを抑えることで、前述のようにフレームに切欠部等を設ける必要がなくなるので、一対の側方フレーム１２の強度が増している。このため、収納ケース１３の容積を大きくしても、その荷重によって一対の側方フレーム１２が変形するようなことがなく、また、側方フレーム１２の撓みも抑えることができ、収納ケース１３のガタ付を抑えることができる。
【００２４】
なお、実施の形態１では、野菜室７の引出式扉１０について説明したが、冷凍室６の引出式扉１０にも適用してもよい。
【００２５】
実施の形態２．
実施の形態１では、扉体１１の内板１１ｂに固定された一対の側方フレーム１２と、側方フレーム１２を連結する後方フレーム１４とで、収納ケース１３の側壁１３１と奥壁１３２の上端部に設けられた側方フランジ部１３１ａ及び後方フランジ部１３２ａを支えるようにしたが、実施の形態２は、一対の側方フレームで収納ケース１３を底面から支えるようにしたものである。
【００２６】
図９は実施の形態２に係る冷蔵庫の引出式扉の構成を示す斜視図、図１０は図９の収納ケースを取り外した状態を示す引出式扉の要部斜視図、図１１は図２の切換室の引出式扉を矢視Ｃ−Ｃ方向から見て示す要部断面図、図１２は図１１に示すｃ部の拡大側面図、図１３は図１の切換室の引出式扉を矢視Ｄ−Ｄ方向から見て示す断面図、図１４は図１３に示すｄ部の拡大正面図である。なお、実施の形態２においては、実施の形態１と同様又は相当部分には同じ符号を付している。
【００２７】
実施の形態２における引出式扉１０は、図９及び図１０に示すように、直方体形状の箱体１１ａ、箱体１１ａに充填された断熱材を隠蔽する内板１１ｂなどで構成された扉体１１と、内板１１ｂの周縁部に取り付けられたガスケット１５と、内板１１ｂの左右方向の両端の下部にそれぞれ固定された一対の側方フレーム２２と、一対の側方フレーム２２の切換室５の奥側の各一端部を連結する後方フレーム１４と、一対の側方フレーム２２の各一端部の外面に設けられ、ネジなどの固定具１２ｃにより後方フレーム１４と共に回転自在に取り付けられた可動ローラ１６と、一対の側方フレーム２２及び後方フレーム１４に取り外し自在に設置された収納ケース１３とを備えている。
【００２８】
一対の側方フレーム２２は、図１１及び図１２に示すように、互いに対向する側に直角に折り曲げられたＬ字形状の金属板で形成されている。この一対の側方フレーム２２は、扉体１１側の他端部に設けられた固定板２２ａを介して扉体１１の内板１１ｂに固定されている（図１０参照）。固定板２２ａの内板１１ｂへの固定は、ネジなどの固定具２２ｂによって行われている。前述の可動ローラ１６は、図１１及び図１２に示すように、切換室５の左右方向の内壁２ａに設けられたレール１７内に回転自在に設けられている。
【００２９】
後方フレーム１４は、図１３及び図１４に示すように、断面が円形形状に形成された金属棒で、その両側が下方に折り曲げられ、その先端部が前述の固定具１２ｃによって側方フレーム１２に固定されている。この後方フレーム１４は、一対の側方フレーム１２の撓みの防止、収納ケース１３の前後の位置ズレを防止するために設けられている。
【００３０】
収納ケース１３は、図９に示すように、上面が開口された箱形状に形成され、引出式扉１０を正面から見て、左右方向の側壁１３１の高さが内板１１ｂ側よりも奥側が低くなっている。収納ケース１３の側壁１３１の上端部に側方フランジ部１３１ａ、及び奥壁１３２の上端部に後方フランジ部１３２ａが設けられている。側壁１３１の側方フランジ部１３１ａは、図１１及び図１２に示すように、側壁１３１の上端部から外方へ直角に延び、更に、下方へ直角に延びて形成されている。この側方フランジ部１３１ａの内側には、四辺形形状のリブ１８ｃが設けられている。リブ１８ｃは、側壁１３１の奥行き方向に複数設けられている。
【００３１】
奥壁１３２の後方フランジ部１３２ａは、図１３及び図１４に示すように、奥壁１３２の上端部から外方へ直角に延び、更に、下方へ直角に延びて形成されている。この後方フランジ部１３２ａによって、前述の後方フレーム１４が後方フランジ部１３２ａの内側に入り込んだ状態となる。
【００３２】
前述した収納ケース１３は、図１０に示すように、内板１１ｂと、一対の側方フレーム２２と、後方フレーム１４とにより囲まれた空間内に、上方から挿入されて取り付けられる。この収納ケース１３が取り付けられた際、収納ケース１３の左右方向の底面の角部が一対の側方フレーム２２によって支持される。また、収納ケース１３の奥壁１３２の上端部に設けられた後方フランジ部１３２ａの内側に後方フレーム１４が入り込む。この後方フレーム１４が奥壁１３２の後方フランジ部１３２ａに入り込むことによって、収納ケース１３の前後方向の位置ズレが抑制される。
【００３３】
また、収納ケース１３は、前述の側方フランジ部１３１ａ及び後方フランジ部１３２ａと、側方フランジ部１３１ａの内側に設けられたリブ１８ｃとにより、収納ケース１３の剛性が高められている。このため、収納ケース１３内に収納される野菜などの収容物の荷重による変形が抑えられる。
【００３４】
以上のように実施の形態２によれば、Ｌ字形形状の側方フレーム２２によって、収納ケース１３の底面の角部を支持すると共に、側壁１３１の下部を側方から挟むようにしているので、収納ケース１３の左右方向の位置ズレを防止できる。また、収納ケース１３の奥壁１３２側の後方フランジ部１３２ａ内に後方フレーム１４が入り込むようにしているので、従来のようにフレームに切欠部を設けることなく、また、固定具等の部品を追加することなく、収納ケース１３の前後方向の位置決めが容易で、しかも位置ズレを抑えることができる。
【００３５】
また、前述のようにフレームに切欠部等を設けることなく、収納ケース１３の奥壁１３２側の後方フランジ部１３２ａと後方フレーム１４とで、収納ケース１３の前後方向の位置ズレを抑えるようにしているので、一対の側方フレーム１２の強度が増している。このため、収納ケース１３の容積を大きくしても、その荷重によって一対の側方フレーム１２が変形するようなことがなく、また、側方フレーム１２の撓みによる収納ケース１３のガタ付を抑えることができる。
【００３６】
なお、実施の形態２では、切換室５の引出式扉１０について説明したが、製氷室４の引出式扉１０にも適用してもよい。
【００３７】
実施の形態１、２では、側方フランジ部１３１ａ及び後方フランジ部１３２ａの形状を直角に曲げたことを述べているが、厳密に直角でなくてもよい。また、側方フレーム１２をコの字形状とし、側方フレーム２２をＬ字形状としているが、厳密なものでなくてもよい。
【符号の説明】
【００３８】
１  冷蔵庫、２  断熱箱体、２ａ  内壁、３  冷蔵室、４  製氷室、５  切換室、６  冷凍室、７  野菜室、８  観音開き式扉、１０  引出式扉、１１  扉体、１１ａ  箱体、１１ｂ  内板、１２  側方フレーム、１２ａ  固定板、１２ｂ、１２ｃ  固定具、１３  収納ケース、１３１  側壁、１３１ａ  側方フランジ部、１３１ｂ  載置面、１３１ｃ  溝部、１３２  奥壁、１３２ａ  後方フランジ部、１４  後方フレーム、１４ａ  固定板、１４ｂ  固定具、１５  ガスケット、１６  可動ローラ、１７  レール、１８ａ、１８ｂ、１８ｃ  リブ、１８１ａ  下端面、２２  側方フレーム、２２ａ  固定板、２２ｂ  固定具。
【図１】
2015140985.tif 000003
【図２】
2015140985.tif 000004
【図３】
2015140985.tif 000005
【図４】
2015140985.tif 000006
【図５】
2015140985.tif 000007
【図６】
2015140985.tif 000008
【図７】
2015140985.tif 000009
【図８】
2015140985.tif 000010
【図９】
2015140985.tif 000011
【図１０】
2015140985.tif 000012
【図１１】
2015140985.tif 000013
【図１２】
2015140985.tif 000014
【図１３】
2015140985.tif 000015
【図１４】
2015140985.tif 000016